(57)【要約】      （修正有）【課題】加減乗除計算機能は勿論のこと、暗所照明の機能、予定日時などの表示機能、時計機能などを有し、しかも、それらの各機能を使いやすくするためのキー配列を有する多機能電卓を提供する。【解決手段】筐体１の表面に、液晶表示窓２、機能キー群３、テンキー４が配置されている。機能キー群３が、電源のオン／オフを制御するスタート／ストップキー５１と、そのスタート／ストップキー５１の周囲円周方向に配列されたバックライト点消灯、アラーム音量レベル、初期モード、バイブレータ起動停止の各モードを設定するための４つの個別キー５２〜５５と、これら４つの個別キーを挟む両側に配列された電卓、アラーム、カウントダウン、ストップウォッチの各モードを設定するための４つの個別キー６１〜６４でなる。筐体１の裏面にＬＥＤライトが配置されている。【選択図】図１
0003156902.tif 000002
【実用新案登録請求の範囲】
【請求項１】
縦長偏平箱形の筐体の表面に、液晶表示窓、機能キー群、テンキーが上から順に配置されていて、
上記機能キー群が、電源のオン／オフを制御するスタート／ストップキーと、そのスタート／ストップキーの周囲円周方向に配列されたバックライト点消灯、アラーム音量レベル、初期モード、バイブレータ起動停止の各モードを設定するための４つの個別キーと、これら４つの個別キーを挟む両側に配列された電卓、アラーム、カウントダウン、ストップウォッチの各モードを設定するための４つの個別キーでなり、
上記筐体の裏面に、上記バックライト点消灯モードが選択されることによって点灯又は消灯するＬＥＤライトが配置されていることを特徴とする多機能電卓。
【考案の詳細な説明】
【技術分野】
【０００１】
本考案は、多種類のモードを選択可能として使用可能な機能を充実させ、しかも、モード選択のためのキー配列に工夫が講じられている使い勝手を向上させた多機能電卓に関する。
【背景技術】
【０００２】
従来例としてのカード型電卓などの電卓は、縦長偏平箱形の筐体の表面に、液晶表示窓とテンキーが上下方向に並べて配置されていて、テンキーによる操作の状況が液晶表示窓に表示されるようになっていた。そして、この従来例は、数字の加減乗除という計算機能を満たすことを主眼としていたため、様々な生活場面で使用するには、その多様性や利便性に欠けるという問題があった。
【０００３】
たとえば、医療従事者としてのオペレータが輸液セットを用いて人体に点滴処置を施すときに、輸液セットの滴下タイミングを適切に調節することに電卓を使用したいという場面では、上記の従来例には機能不足や使い勝手に関して幾多の不便があった。
【０００４】
すなわち、実際の点滴処置において、滴下タイミングの滴下時間の間隔を定める方法として演算法と時間当り法とが提案されていて、演算法は、点滴に用いる輸液セットの種類を決定すると共に、輸液総量（ｍｌ）と輸液時間（輸液総量全部を滴下させる時間）とを決定した後に、それらを因子として滴下時間の間隔を算出するという方法である。時間当り法は、点滴に用いる輸液セットの種類を決定すると共に、単位時間当りの輸液速度（ｍｌ／ｈ）を決定し、それらを因子として滴下時間の間隔を算出するという方法である。これらのいずれの方法においても、算出された滴下時間の間隔に合わせて流量調節器を手動調節することにより滴下タイミングを定める。
【０００５】
そこで、従来例としてのカード型電卓を使用して演算法での滴下時間の間隔や時間当り法での滴下タイミングを定めるときには、カード型電卓のテンキーを操作して計算により算出することが多かった。また、滴下時間の間隔や滴下タイミングを定めた後、実際に流量調節器を手動調節した後、それらの滴下時間の間隔や滴下タイミングが適切であるか否かを確認することも必要であり、その確認には、オペレータ自身が身に付けている腕時計やストップウォッチを利用することが行われることが多かった。
【０００６】
しかしながら、オペレータがカード型電卓の他に、腕時計やストップウォッチ、暗所照明のための懐中電灯といった他の種類の点滴処置に必要な計器を持ち歩いたりすることは、オペレータ自身に要求される行動の迅速さを損なうおそれがあり、また、オペレータはそれらの計器の他にも筆記具、メモ用具、院内通信機器、聴診器などを常時携帯しておくことを要することもあるので、カード型電卓や腕時計、ストップウォッチなどの多くの種類の点滴処置に必要な計器を持ち歩くことは煩わしく、それらの計器を適宜選択して適切に使用することにも多大な負担が掛かっているという問題があった。
【先行技術文献】
【特許文献】
【０００７】
【特許文献１】特になし。
【考案の概要】
【考案が解決しようとする課題】
【０００８】
本考案は、上記した問題点、特に、上記した医療従事者としてのオペレータに掛かっている多大な負担を軽減するためになされたものであり、数字の加減乗除という計算機能は勿論のこと、上記オペレータにとって特に有用な機能、たとえば、暗所照明の機能、予定日時などの表示機能、時計機能などを有し、しかも、それらの各機能を使いやすくするためのキー配列を有する多機能電卓を提供することを目的としている。
【課題を解決するための手段】
【０００９】
本考案に係る多機能電卓は、縦長偏平箱形の筐体の表面に、液晶表示窓、機能キー群、テンキーが上から順に配置されていて、機能キー群が、電源のオン／オフを制御するスタート／ストップキーと、そのスタート／ストップキーの周囲円周方向に配列されたバックライト点消灯、アラーム音量レベル、初期モード、バイブレータ起動停止の各モードを設定するための４つの個別キーと、これら４つの個別キーを挟む両側に配列された電卓、アラーム、カウントダウン、ストップウォッチの各モードを設定するための４つの個別キーでなり、上記筐体の裏面に、上記バックライト点消灯モードが選択されることによって点灯又は消灯するＬＥＤライトが配置されている。
【考案の効果】
【００１０】
本考案によれば、数字の加減乗除の計算のためにテンキーが役立ち、暗所照明にはバックライト点消灯モードを設定するためのキーやＬＥＤライトが役立ち、予定日時などの表示には、アラーム音量レベルモードやバイブレータ起動停止のモードを選択するためのキーが役立ち、時計表示にはカウントダウン、ストップウォッチの各モードを設定するためのキーが役立つ。それらの各キーが筐体の表面に配列されているので、筐体を持っている片手の指でそれらの各キーを容易に操作することが可能である。このため、冒頭で説明した点滴処置に従事するオペレータにとっては、当該多機能電卓だけを常時携行しておくことにより、カード型電卓の他に腕時計やストップウォッチ、懐中電灯などの多くの種類の計器類を同時に持ち運ばなくても、点滴処置や暗所照明などの看護ないし介護に必要な多くの処置を行うことが可能になるという利便性がある。
【図面の簡単な説明】
【００１１】
【図１】本考案の実施形態に係る多機能電卓の筐体の表面の外観を示した平面図である。
【図２】同筐体の裏面を示した概略部分斜視図である。
【考案を実施するための形態】
【００１２】
図１は本考案の実施形態に係る多機能電卓の筐体の表面の外観を示した平面図、図２は同筐体の裏面を示した概略部分斜視図である。
【００１３】
この多機能電卓は、縦長偏平箱形の筐体１の表面が縦方向に３区画されていて、上段区画に液晶表示窓２が、中段区画に機能キー群３が、下段区画にテンキー４が、それぞれ順に配置されている。
【００１４】
機能キー群３は、電源のオン／オフを制御するスタート／ストップキー５１と、スタート／ストップキー５１の周囲円周方向に配列されたバックライト点消灯、アラーム音量レベル、初期モード（クリア）、バイブレータ起動停止の各モードを設定するための４つの個別モード切り換えキー５２，５３，５４，５５と、これらの４つの個別キー５２〜５５を挟む両側に配列された電卓、アラーム、カウントダウン、ストップウォッチの各モードを設定するための４つの個別モード切り換えキー６１，６２，６３，６４でなる。
【００１５】
図２のように、筐体１の裏面には、バックライト点消灯モードが選択されることによって点灯又は消灯するＬＥＤライト７０が配置されている。
【００１６】
スタート／ストップキー５１と４つの個別モード切り換えキー５２〜５５には、決定キーを有する十字キーが採用されていて、決定キーがスタート／ストップキー５１に割り当てられ、その周囲の４つキーが４つの個別モード切り換えキー５２〜５５に割り当てられている。そして、４つの個別モード切り換えキー５２〜５５がリング状のキートップによって操作され、そのリング状のキートップの中央にスタート／ストップキー５１に対応するキートップが位置している。
【００１７】
スタート／ストップキー５１は電源のオンオフに用いられ、電源がオンすると液晶表示窓２のバックライトが点灯し、電源がオフされると液晶表示窓のバックライトが消灯する。また、電源をオンした後、最終操作終了後の一定時間（たとえば５分）が経過したときには、オートパワーオフ機能が働いて液晶表示窓２のバックライトが消灯するようになっている。ただし、「カウントダウン」及び「ストップウォッチ」機能作動中は、オートパワーオフしない。また、誤動作防止状態（キーロック状態）を設定できるようになっていて、このキーロック状態ではスタート／ストップキー５１が動作しない。キーロック状態はスタート／ストップキー５１を操作することによって解除されて電源オフモードになる。
【００１８】
バックライト点消灯モード設定キー５２を操作すると、液晶表示窓２のバックライトやすべてのキー文字が点灯するだけでなく、図２に示したＬＥＤライト７０が押し下げ時間だけ点灯する。したがって、暗所照明を行うことのできる利便性がある。バックライト点灯回路は他のモードの回路とは別回路になっている。したがって、例えば複数の人が入院している病室で、消灯後一人の入院患者に点滴を行うとき、病室の照明を点灯せずに所要事項を入力操作することができ、また、液晶表示画面の表示事項を明確に見極めることが可能であるので、病室などで周囲の患者に迷惑がかかることを未然に防ぐことが可能である。
【００１９】
アラーム音量レベル設定モードキー５３では、あらかじめ設定した定時アラームの音量レベルを設定できる。
【００２０】
初期モード設定キー５４は、すべてのモードをクリアして初期モードを設定することに使われる。
【００２１】
バイブレータ起動停止モード設定キー５５は、内蔵しているバイブレータの起動停止の制御に使われる。
【００２２】
次に、電卓モード設定キー６１を操作することにより、テンキー４を用いて数値計算を行うことができるようになる。電卓モードを選択すると、テンキー４の操作に伴う数値が液晶表示窓２の最下段に表示される。電卓モードでは、液晶表示窓２の上段の音・バイブレーション表示が消灯し、同中段のカレンダ・時計表示が点灯する。液晶表示窓２の下段での数値表示はたとえば８桁表示で行われる。電卓モードでは、液晶表示窓２の下段での分秒の表示は消灯する。
【００２３】
アラームモード設定キー６２は、アラームモードの設定解除に使われる。アラームモードでは、液晶表示窓２の上段の音・バイブレーション表示が点灯し、同中段のカレンダ・時計表示が点灯し、液晶表示窓２の下段での数値表示が消灯する。アラーム設定モードに入るときには、液晶表示窓２の下段の時間表示が点滅する。アラーム起動時間の設定は、音量レベル設定モードキー５３を操作して各桁の数値を調整することにより行う。アラーム起動時間の設定後、スタート／ストップキー５１を操作することにより確定となる。確定後は、液晶表示窓２の中段のカレンダ・時計表示が点灯する。
【００２４】
カウントダウンモード設定キー６３はカウントダウンタイマー機能を動作させることに使われる。たとえば、開始時間が「１０分００秒」・「３０分００秒」又は「手動」にワンタッチ設定され、カウントダウン終了時には、終了前１０秒前から「ピッピッ音」が鳴り、カウントダウン完了で「ピピピ」の連続音に変わる。この連続音は数秒間で自動停止する。また、カウントダウン完了で液晶表示窓２のバックライトがたとえば５秒間点灯する。
【００２５】
ストップウォッチモード設定キー６４によってストップウォッチモードを設定すると、液晶表示窓２の下段の時間表示が点灯してカウントアップ機能が発揮される。ストップウォッチモードでのカウントアップ時間は、たとえば００分００秒から５９分５９秒に定められている。
【００２６】
液晶表示窓２の上段区画に、電卓モード、カウントダウンモード、ストップウォッチモード、アラームモードを表示するパターンや、電池残量、アラーム音量レベル設定モード、バイブレータ起動停止モードを表示するマークパターンなどがある。液晶表示窓２の中段区画に日付などを表示する数値パターンなどがある。液晶表示窓２の最下段区画に時刻表示などを表示する数値パターンなどがある。
【００２７】
図１又は図２を参照して説明した実施形態の多機能電卓は、医療従事者としてのオペレータが行う医療処置に特に便利に用いることができ、しかも、オペレータの負担を軽減することに役立つ。
【００２８】
たとえば、オペレータは、上記した多機能電卓だけを携行しておくだけで、点滴処置に際して必要な輸液セットの滴下時間の間隔や滴下タイミングを算出するためのカード電卓を持ち歩く必要がなくなるだけでなく、滴下時間の間隔や滴下タイミングを手動調節した後に、調節が適切に行われたか否かを確認するのに当該多機能電卓のカウントダウンモードやストップウォッチモードを用いることができるので、必要な腕時計やストップウォッチを別途携行しておく必要がなくなる。そのほか、ＬＥＤライト７０を、夜間の暗い病室での局所照明に使うことができるの、暗所照明のための懐中電灯を餅ある必要がなくなる。
【００２９】
したがって、医療処置に直接に必要される計器類のほかに、筆記具、メモ用具、院内通信機器、聴診器などを常時携帯しておくこことが要求されるオペレータにとっては、カード型電卓や腕時計、ストップウォッチなどの多くの種類の点滴処置に必要な計器を持ち歩くことの負担が軽減され、そのことが、計器類を適宜選択して適切に使用しやすくすることにも役立つ。
【符号の説明】
【００３０】
１  筐体
２  液晶表示窓
３  機能キー群
４  テンキー
５１  スタート／ストップキー
５２  バックライト点消灯設定モードキー
５３  アラーム音量レベルモード設定キー
５４  初期モード設定キー
５５  バイブレータ起動停止モード設定キー
６１  電卓モード設定キー
６２  アラームモード設定キー
６３  カウントダウンモード設定キー
６４  ストップウォッチモード設定キー
７０  ＬＥＤライト
【図１】
0003156902.tif 000003
【図２】
0003156902.tif 000004